(57)【要約】【課題】アース処理が不要な光源モジュール及び照明器具を提供する。【解決手段】実施形態によれば、カバーと、基板と、伝熱部材と、保持部材と、を備えた光源モジュールが提供される。前記カバーは、内部に空間を有するとともに、光透過性の包囲部を有する。前記基板には光源が設けられる。前記伝熱部材は、前記基板を支持し、前記包囲部よりも熱伝導性が高く、かつ電気絶縁性を有する樹脂を含む。前記保持部材は、前記伝熱部材の前記基板を支持する側と反対側に前記伝熱部材を支持するように、前記カバーに取り付けられる。【選択図】図１
2016181403.tif 000002
【特許請求の範囲】
【請求項１】
内部に空間を有するとともに、光透過性の包囲部を有するカバーと；
光源が設けられた基板と；
前記基板を支持し、前記包囲部よりも熱伝導性が高く、かつ電気絶縁性を有する樹脂を含む伝熱部材と；
前記伝熱部材の前記基板を支持する側と反対側に前記伝熱部材を支持するように、前記カバーに取り付けられる保持部材と；
を備えた光源モジュール。
【請求項２】
前記カバーは、前記空間方向に段差状に形成された載置部を有しており、
前記基板は、その少なくとも一部が前記載置部の段差部分に収容されているとともに、前記伝熱部材を介して、前記載置部と前記保持部材との間に挟み込まれている請求項１記載の光源モジュール。
【請求項３】
前記保持部材は、器具本体への取付部材としての機能を兼ねる請求項１または２記載の光源モジュール。
【請求項４】
内部に空間を有する光透過性の包囲部と、前記包囲部と一体形成された第１部分と、前記第１部分との間に隙間を形成するように対向して、前記包囲部と一体形成された第２部分と、を有するカバーと；
光源が設けられた基板と；
前記基板を支持し、前記包囲部よりも熱伝導性が高く、かつ電気絶縁性を有する樹脂を含み、前記第１部分と前記第２部分の間に配置される伝熱部材と；
を備えた光源モジュール。
【請求項５】
前記伝熱部材は、前記基板の長手方向に沿って設けられた一対の凸部を有し、
前記基板は、前記一対の凸部の間に設けられる請求項１〜４のいずれか１つに記載の光源モジュール。
【請求項６】
請求項１〜５のいずれか１つに記載の光源モジュールと；
前記光源モジュールを取り付ける器具本体と；
を備えた照明器具。
【発明の詳細な説明】
【技術分野】
【０００１】
本発明の実施形態は、光源モジュール及び照明器具に関する。
【背景技術】
【０００２】
天井に取り付けられて室内を照明する照明器具がある。照明器具は、光源モジュールと、この光源モジュールを収容する器具本体と、を有する。光源モジュールは、金具等を用いて器具本体に着脱自在に取り付けられる。このような照明器具において、基板に金属を使用する場合が多いが、従来の基板を金属製のシャーシに取り付ける構造では、基板をアース処理する必要があった。
【先行技術文献】
【特許文献】
【０００３】
【特許文献１】特開２０１４−７８４２６号公報
【発明の概要】
【発明が解決しようとする課題】
【０００４】
本発明の実施形態は、アース処理が不要な光源モジュール及び照明器具を提供する。
【課題を解決するための手段】
【０００５】
本発明の実施形態によれば、 カバーと、基板と、伝熱部材と、保持部材と、を備えた光源モジュールが提供される。前記カバーは、内部に空間を有するとともに、光透過性の包囲部を有する。前記基板には光源が設けられる。前記伝熱部材は、前記基板を支持し、前記包囲部よりも熱伝導性が高く、かつ電気絶縁性を有する樹脂を含む。前記保持部材は、前記伝熱部材の前記基板を支持する側と反対側に前記伝熱部材を支持するように、前記カバーに取り付けられる。
【発明の効果】
【０００６】
本発明の実施形態によれば、アース処理が不要な光源モジュール及び照明器具を提供することができる。
【図面の簡単な説明】
【０００７】
【図１】本実施形態の照明器具の斜視図である。
【図２】本実施形態の照明器具の一部の斜視図である。
【図３】図３（ａ）及び図３（ｂ）は、本実施形態の照明器具の一部の斜視図である。
【図４】本実施形態の照明器具の一部の分解斜視図である。
【図５】本実施形態の照明器具の一部を示す図である。
【図６】本実施形態の照明器具の一部の分解図である。
【図７】本実施形態の別の照明器具の一部を示す図である。
【図８】本実施形態の照明器具の一部の分解図である。
【図９】本実施形態の別の照明器具の一部の分解図である。
【図１０】照明器具の内部を説明する図である。
【図１１】図１１（ａ）〜図１１（ｃ）は、光源モジュールと器具本体との取り付けを説明する図である。
【発明を実施するための形態】
【０００８】
実施形態に係る発明は、内部に空間を有するとともに、光透過性の包囲部を有するカバーと；光源が設けられた基板と；前記基板を支持し、前記包囲部よりも熱伝導性が高く、かつ電気絶縁性を有する樹脂を含む伝熱部材と；前記伝熱部材の前記基板を支持する側と反対側に前記伝熱部材を支持するように、前記カバーに取り付けられる保持部材と；を備えた光源モジュールである。
この光源モジュールによれば、基板の周囲の絶縁性を高くすることができるため、アース処理が不要となる。また、この光源モジュールによれば、金属等のシャーシを設けることなく、カバーの放熱性を向上させることができる。また、光源モジュールの組み立て性を向上させることができる。
【０００９】
また、前記カバーは、前記空間方向に段差状に形成された載置部を有しており、前記基板は、その少なくとも一部が前記載置部の段差部分に収容されているとともに、前記伝熱部材を介して、前記載置部と前記保持部材との間に挟み込まれている光源モジュールである。
この光源モジュールによれば、基板の周囲の絶縁性を高くすることができるため、アース処理が不要となる。また、この光源モジュールによれば、金属等のシャーシを設けることなく、カバーの放熱性を向上させることができる。また、光源モジュールの組み立て性を向上させることができる。
【００１０】
また、前記保持部材は、器具本体への取付部材としての機能を兼ねる光源モジュールである。
この光源モジュールによれば、基板の周囲の絶縁性を高くすることができるため、アース処理が不要となる。また、この光源モジュールによれば、金属等のシャーシを設けることなく、カバーの放熱性を向上させることができる。また、光源モジュールの組み立て性を向上させることができる。
【００１１】
実施形態に係る発明は、内部に空間を有する光透過性の包囲部と、前記包囲部と一体形成された第１部分と、前記第１部分との間に隙間を形成するように対向して、前記包囲部と一体形成された第２部分と、を有するカバーと；光源が設けられた基板と；前記基板を支持し、前記包囲部よりも熱伝導性が高く、かつ電気絶縁性を有する樹脂を含み、前記第１部分と前記第２部分の間に配置される伝熱部材と；を備えた光源モジュールである。
この光源モジュールによれば、基板の周囲の絶縁性を高くすることができるため、アース処理が不要となる。また、この光源モジュールによれば、金属等のシャーシを設けることなく、カバーの放熱性を向上させることができる。また、光源モジュールの組み立て性を向上させることができる。
【００１２】
また、前記伝熱部材は、前記基板の長手方向に沿って設けられた一対の凸部を有し、前記基板は前記一対の凸部の間に設けられる光源モジュールである。
この光源モジュールによれば、基板の周囲の絶縁性を高くすることができるため、アース処理が不要となる。また、この光源モジュールによれば、金属等のシャーシを設けることなく、カバーの放熱性を向上させることができる。また、伝熱部材と基板との位置ずれを抑制して、カバーに基板を安定的に固定できる。また、光源モジュールの組み立て性を向上させることができる。
【００１３】
実施形態に係る発明は、請求項１から５のいずれか１つに記載の光源モジュールと；前記光源モジュールを取り付ける器具本体と；を備えた照明器具である。
この照明器具によれば、基板の周囲の絶縁性を高くすることができるため、アース処理が不要となる。また、この照明器具によれば、金属等のシャーシを設けることなく、カバーの放熱性を向上させることができる。また、照明器具の組み立て性を向上させることができる。
【００１４】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１５】
（本実施形態）
図１は、本実施形態の照明器具の斜視図である。
図２は、本実施形態の照明器具の一部の斜視図である。
図３（ａ）及び図３（ｂ）は、本実施形態の照明器具の一部の斜視図である。
図４は、本実施形態の照明器具の一部の分解斜視図である。
図５は、本実施形態の照明器具の一部を示す図である。
図６は、本実施形態の照明器具の一部の分解図である。
図７は、本実施形態の別の照明器具の一部を示す図である。
図８は、本実施形態の照明器具の一部の分解図である。
図９は、本実施形態の別の照明器具の一部の分解図である。
【００１６】
図２は、器具本体１０を取り外した状態を示している。図３（ａ）及び図３（ｂ）は、光源モジュール２０を取り外した状態を示している。図４は、図３（ａ）の光源モジュール２０の分解斜視図である。図５及び図７は、光源モジュール２０の側面図である。図６、図８及び図９は、光源モジュール２０において、伝熱部材２１とカバー２２との間で基板２５を固定することを示している。
【００１７】
図１に表すように、照明器具１００は、器具本体１０と、光源モジュール２０と、を備える。照明器具１００は、光源モジュール２０を下方に向けた状態で室内の天井面に取り付けられる。器具本体１０がネジ等によって天井面に取り付けられる。器具本体１０は、光源モジュール２０の支持に用いられるとともに、天井などの取付対象への照明器具１００の取り付けに用いられる。照明器具１００は、室内に光を照射する。なお、照明器具１００は、天井面に限ることなく、例えば、壁面などに取り付けても良い。また、複数の照明器具１００を連結させても良い。
【００１８】
図２に表すように、器具本体１０は、筐体１１と、取付金具１４と、電源回路１５と、端子台１６と、を備える。また、筐体１１は、反射板１２と、端板１３と、を備える。
【００１９】
筐体１１は、光源モジュール２０の一部を収容するための凹部１１ａを有する。また、筐体１１には、照明器具１００を天井面などに取り付けるための金具（例えば、ネジ）や電源回路１５に電力を供給する電源ケーブルなどを通すための複数の開口が設けられる。
【００２０】
筐体１１には、鉄、アルミニウム、または、ステンレスなどの金属材料が用いられる。筐体１１に金属材料を用いることにより、器具本体１０の耐久性を高めることができる。筐体１１には、樹脂材料を用いても良い。
【００２１】
反射板１２は、光源モジュール２０内の光源２６から照射された光を反射する。反射板１２によって反射された光は、照明器具１００の下方に向かう。
端板１３は、反射板１２の長手方向の両端に設けられている。筐体１１の凹部１１ａは、反射板１２及び端板１３に囲まれた部分である。
【００２２】
取付金具１４は、ネジ止めなどにより、筐体１１の凹部１１ａ内に取り付けられる。取付金具１４は、光源モジュール２０の保持部材２３に設けられた弾性体３０と掛止し、筐体１１の凹部１１ａから抜ける方向への移動を規制する。取付金具１４には、筐体１１と同様の金属材料が用いられる。器具本体１０には、保持部材２３に対応して複数の取付金具１４が設けられる。この例では、２つの取付金具１４が設けられる。取付金具１４の数は、任意で良い。取付金具１４の数は、１つでも良いし、３つ以上でも良い。
【００２３】
電源回路１５は、外部から供給される電力を光源モジュール２０に対応した電圧または電流に変換して、光源モジュール２０に供給する。光源モジュール２０は、電源回路１５からの電力供給に応じて光源２６を点灯させ、光を照射する。電源回路１５は、照明器具１００とは別に設けても良い。
【００２４】
端子台１６は、外部の電源と電源回路１５との間の電気的な接続や、電源回路１５と各光源２６との間の電気的な接続に用いられる。電源回路１５及び端子台１６は、ネジ止めなどにより、筐体１１の凹部１１ａ内に取り付けられる。
【００２５】
図３及び図４に表すように、光源モジュール２０は、伝熱部材２１と、カバー２２と、保持部材２３と、側板２４と、基板２５と、光源２６と、を備える。伝熱部材２１は、第１面２１ａと、第１面２１ａと反対側の第２面２１ｂと、を有する。基板２５は、第１面２５ａと、第１面２５ａと反対側の第２面２５ｂと、を有する。
【００２６】
伝熱部材２１は、光源２６が設けられた基板２５を支持する。また、伝熱部材２１は、カバー２２（載置部２２ａ）との間に基板２５を挟み込んで固定する。この場合、伝熱部材２１の第１面２１ａと、基板２５の第２面２５ｂと、が接触する。
【００２７】
カバー２２は、内部空間に基板２５に設けられた光源２６の光が出射されるように、光源２６を覆う。カバー２２は、外力や塵埃などから光源２６を保護する。カバー２２は、光透過性を有する。カバー２２は、光源２６の放出する光に対して光透過性である。カバー２２は、例えば乳白色で光拡散性を有する。カバー２２は、透明であっても良い。カバー２２には、光透過性の樹脂材料が用いられる。
【００２８】
保持部材２３は、弾性体３０を固定して弾性体３０をカバー２２に保持する部材である。つまり、保持部材２３は、弾性体３０をカバー２２から外れないようにする。光源モジュール２０には、複数の保持部材２３が設けられる。複数の保持部材２３は、ネジ等を用いてカバー２２に固定してカバー２２に設けられる。この例では、２つの保持部材２３が設けられる。保持部材２３の数は、任意で良い。保持部材２３の数は、１つでも良いし、３つ以上でも良い。
【００２９】
保持部材２３には、例えば、鉄、アルミニウム、または、ステンレスなどの金属材料が用いられる。保持部材２３には、例えば、樹脂材料などを用いてもよい。但し、保持部材２３には、上記のような金属材料を用いることが好ましい。これにより、例えば、保持部材２３の耐久性を向上させることができる。また、保持部材２３は、例えば、１枚の板材料から形成される。これにより、例えば、部品点数を削減することができる。例えば、光源モジュール２０のコストを抑えることができる。例えば、保持部材２３に樹脂材料を用いる場合、保持部材２３は、射出成形などによって形成された１つの部品であることが好ましい。
【００３０】
側板２４は、カバー２２の長手方向の両端に設けられている。側板２４の形状は、略扇形状である。
【００３１】
基板２５には、光源２６が設けられている。基板２５には、例えば、複数の光源２６が設けられる。各光源２６は、基板２５の第１面２５ａに並べて配置される。光源２６の数は、任意で良い。光源２６の数は、例えば、１つでも良い。
【００３２】
光源２６には、例えば、発光ダイオード（Light Emitting Diode：ＬＥＤ）が用いられる。光源２６は、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでも良い。光源２６は、電球などでも良い。
以下、伝熱部材２１の材料、及び、伝熱部材２１と他の構成要素との間の位置関係について説明する。
【００３３】
図５に表すように、カバー２２は、平坦状のベース部２２Ａと、湾曲状の曲部２２Ｂと、を有する。また、カバー２２には、包囲部２２Ｃが設けられており、包囲部２２Ｃは、ベース部２２Ａ及び曲部２２Ｂを有する。ベース部２２Ａ及び曲部２２Ｂの間、つまり、包囲部２２Ｃの内部には空間Ｓが形成されている。カバー２２の内部の空間Ｓに向かって屈曲するように、ベース部２２Ａの中央側には載置部２２ａが形成されている。ベース部２２Ａ上であって、載置部２２ａ及び曲部２２Ｂの間には、空間Ｓに対して逆の方に向かって屈曲部２２ｂが延出している。
【００３４】
基板２５は、伝熱部材２１と、カバー２２の載置部２２ａとの間に設けられている。伝熱部材２１は、例えば、基板２５の第２面２５ｂに接触するように、基板２５の第２面２５ｂに沿って矩形状に設けられている。
【００３５】
伝熱部材２１は、包囲部２２Ｃよりも熱伝導性が高く、電気絶縁性を有する樹脂を用いて形成される。伝熱部材２１は、例えば、高熱伝導樹脂を用いて形成される。例えば、伝熱部材２１は、ポリカーボネート（ＰＣ）樹脂、ポリブチレンテレフタレート（ＰＢＴ）樹脂、または、ポリアミド（ＰＡ）樹脂等を用いて形成される。伝熱部材２１は、前述した樹脂に限らず、熱伝導性を有する周知の樹脂を用いて形成されることができる。また、伝熱部材２１は、複数の樹脂を用いて形成されても良い。伝熱部材２１を形成する樹脂内に熱伝導性フィラーが含有しても良い。また、伝熱部材２１の熱伝導性を高くするために、伝熱部材２１にセラミックやカーボンなどを含有しても良い。
【００３６】
また、伝熱部材２１は、熱伝導性の樹脂を用いて形成され、基板２５の第２面２５ｂに接触して設けられているので、基板２５の絶縁性を向上させることができる。例えば、伝熱部材２１が熱伝導性の樹脂を用いて形成され、カバー２２（載置部２２ａ）が樹脂を用いて形成されているので、基板２５の周囲の絶縁性を高くすることができる。基板２５の絶縁性を高くすることで、金属等のシャーシが基板２５の第２面２５ｂに接触している場合に必要な基板２５のアース処理をしなくても良い。例えば、光源モジュール２０において、アース線等によって基板２５を接地する必要がなくなる。
【００３７】
伝熱部材２１は、熱伝導性を有し、基板２５の第２面２５ｂに接触して設けられているので、基板２５に設けられた光源２６からの熱は、伝熱部材２１に伝わって光源モジュール２０の外部に伝わり易くなる。これにより、光源モジュール２０の放熱性が向上する。
【００３８】
載置部２２ａは、基板２５の第１面２５ａの一部と接触するカバー２２の一部であって、光源モジュール２０の内部（例えば、光源２６が設けられた部分）に向かって延在する部分である。また、載置部２２ａは、例えば、基板２５の長手方向に沿って矩形状に設けられている。載置部２２ａは、基板２５の長手方向の数カ所に部分的に形成されていても良い。
【００３９】
載置部２２ａは、光源モジュール２０の内部に向かってカバー２２に段差を設けることで形成される。具体的には、載置部２２ａは、カバー２２の内部の空間Ｓに向かって屈曲するように段差状に形成されている。載置部２２ａは、その段差部分に基板２５を収容する。例えば、載置部２２ａは、基板２５の側面に対向するように収容する。この場合、基板２５の側面とは、基板２５の第１面２５ａ及び第２面２５ｂの間に設けられた面である。このような載置部２２ａによって、基板２５の第１面２５ａの一部が載置部２２ａに載置される場合、基板２５が横方向（例えば、伝熱部材２１からカバー２２に向かう方向に垂直な方向）に動くことを抑制できる。これにより、基板２５は、伝熱部材２１とカバー２２との間に安定して固定される。
【００４０】
図６の矢印ａ１のように、基板２５は、ネジ等の周知の固定手段を用いて伝熱部材２１の第１面２１ａに取り付けられる。
【００４１】
基板２５は、例えば、接合部を介して伝熱部材２１の第１面２１ａに取り付けても良い。このような接合部は、例えば、金属材料を含む接合剤である。接合部は、熱伝導性を有する金属接合剤、例えば、鉛（Ｐｂ）と錫（Ｓｎ）の合金はんだである。接合部として、銀（Ａｇ）や銅（Ｃｕ）が含まれる鉛フリーはんだ等を用いても良い。
【００４２】
図６の矢印ａ２のように、伝熱部材２１に基板２５を取り付けた後、基板２５は、伝熱部材２１及び載置部２２ａによって挟み込んで固定される。伝熱部材２１及び載置部２２ａによって基板２５を挟み込んだ後、例えば、ネジ等を用いてカバー２２に伝熱部材２１を固定する。これにより、基板２５は、光源モジュール２０に固定される。
【００４３】
本実施形態では、光源モジュール２０の内部に向かってカバー２２に段差を設けることで載置部２２ａを形成し、伝熱部材２１及び載置部２２ａによって基板２５を挟み込んでいる。一方、図７のように、カバー２２の第１部分２２ｃ及び第２部分２２ｄの間に基板２５及び伝熱部材２１をスライドして挟み込むように固定することで、光源モジュール２０に基板を固定しても良い。
【００４４】
このような場合、第１部分２２ｃは、包囲部２２Ｃのベース部２２Ａと一体形成される。第２部分２２ｄは、第１部分２２ｃとの間に隙間を形成するように対向して、包囲部２２Ｃのベース部２２Ａと一体形成される。第１部分２２ｃ及び第２部分２２ｄによって形成された隙間に基板２５及び伝熱部材２１をスライドするように挿入して基板２５及び伝熱部材２１を固定する。これにより、光源モジュール２０に基板を固定する。
【００４５】
第１部分２２ｃ及び第２部分２２ｄは、カバー２２の一部であって光源モジュール２０の内部（例えば、光源２６が設けられた部分）に向かって延在する部分である。また、第１部分２２ｃ及び第２部分２２ｄは、例えば、基板２５の長手方向に沿って矩形状に設けられている。第１部分２２ｃ及び第２部分２２ｄは、光源モジュール２０の内部に向かってカバー２２に段差を設けることで形成される。第１部分２２ｃ及び第２部分２２ｄは、基板２５の長手方向の数カ所に部分的に形成されていても良い。第１部分２２ｃ及び第２部分２２ｄは、伝熱部材２１と同じ材料を用いて形成されても良い。
【００４６】
図８に表すように、伝熱部材２１の第２面２１ｂ側からカバー２２に保持部材２３を取り付けることで、基板２５を固定しても良い。前述したように、保持部材２３は、弾性体３０を固定して弾性体３０をカバー２２に保持する部材である。このような場合、例えば、伝熱部材２１の第１面２１ａに基板２５を取り付けずに、基板２５は、伝熱部材２１及び載置部２２ａによって挟み込んで固定されることができる。
【００４７】
保持部材２３は、把持部２３ａと、固定部２３ｂと、を有する。把持部２３ａは、固定部２３ｂの両端に設けられる。把持部２３ａは、カバー２２の屈曲部２２ｂを挟んで把持する。また、保持部材２３は、ネジ等を用いてカバー２２に固定される。これにより、保持部材２３は、カバー２２に取り付けられる。
【００４８】
把持部２３ａは、例えば、板バネ状であり、カバー２２を挟むことにより、カバー２２の係合が解除されてしまうことを抑制する。保持部材２３は、把持部２３ａで挟むことにより、カバー２２の開きを抑制する。また、固定部２３ｂには、弾性体３０が設けられている。
【００４９】
図９に表すように、伝熱部材２１の第２面２１ｂ側からカバー２２に保持部材２３を取り付けることで基板２５を固定する場合、伝熱部材２１の第１面２１ａに凸部２１ｃを設けることができる。例えば、伝熱部材２１の第１面２１ａに基板２５を取り付けずに、伝熱部材２１及び載置部２２ａによって基板２５を挟み込んで固定する場合、伝熱部材２１に凸部２１ｃを設けて基板２５の位置を決定する。凸部２１ｃは、例えば、位置決め用のリブである。凸部２１ｃは、例えば、伝熱部材２１と同じ材料を用いて形成することができる。
【００５０】
凸部２１ｃは、例えば、基板２５の長手方向に沿って設けることができる。２つの凸部２１ｃは、基板２５の長手方向に沿って基板２５の両端に設けられている。例えば、基板２５は、２つの凸部２１ｃ間に設けられている。これにより、伝熱部材２１と基板２５との位置ずれを抑制して、カバー２２に基板２５を安定的に固定できる。
【００５１】
本実施形態の照明器具１００において、熱伝導性の樹脂を有する伝熱部材２１が基板２５の第２面２５ｂに接触して設けられている。このような伝熱部材２１を設けると、基板２５の周囲の絶縁性を高くすることができる。基板２５の絶縁性を高くすることで、金属等のシャーシが基板２５の第２面２５ｂに接触している場合に必要な基板２５のアース処理をしなくても良い。これにより、照明器具１００の組み立て性を向上させることができる。
【００５２】
また、伝熱部材２１は、熱伝導性の樹脂を用いて形成され、基板２５の第２面２５ｂに接触して設けられている。これにより、金属等のシャーシを設けることなく、カバー２２の放熱性を向上させることができる。
【００５３】
本実施形態では、伝熱部材２１は、載置部２２ａとの間に基板２５を挟み込んで固定している。例えば、伝熱部材２１は、載置部２２ａと一体的に形成されても良い。つまり、伝熱部材２１は、カバー２２の一部分であっても良い。例えば、伝熱部材２１は、二色成形等の異材質成形などによって一体的に形成される。このような場合、例えば、カバー２２は、熱伝導性を有する熱伝導部分と、熱伝導部分に連結した光透過性を有する光透過部分（例えば、載置部２２ａ）と、を有する。また、基板２５は、このような熱伝導部分と載置部２２ａとの間に挿入されて収納することができる。
【００５４】
以下、本実施形態の照明器具１００における光源モジュール２０と器具本体１０との取り付けを説明する。
【００５５】
図１０は、照明器具の内部を説明する図である。
図１１（ａ）〜図１１（ｃ）は、光源モジュールと器具本体との取り付けを説明する図である。
【００５６】
図１０は、端板１３側からみた照明器具１００の内部であって、器具本体１０の取付金具１４が光源モジュール２０の保持部材２３に弾性体３０によって取り付けられている状態を示している。なお、図１１（ａ）〜図１１（ｃ）において、取付金具１４を固定する反射板１２を図示していない。
【００５７】
図１０に表すように、反射板１２は、例えば、一枚の板金から形成されている。反射板１２は、複数の屈曲部１２ｆを有する。凹部１１ａは、複数の屈曲部１２ｆの一部によって形成される。また、取付金具１４は、ネジ等を用いて反射板１２に固定される。
【００５８】
保持部材２３は、その両端において、カバー２２に固定されている。また、保持部材２３の中央には、トーションバネ等の弾性体３０が設けられている。弾性体３０が取付金具１４の一部（掛止部１４ａ）に掛止されることで取付金具１４が保持部材２３に取り付けられる。これにより、光源モジュール２０が器具本体１０に取り付けられる。
【００５９】
図１１（ａ）に表すように、弾性体３０の先端部分３０ａが取付金具１４の掛止部１４ａに掛止されて固定される。光源モジュール２０が器具本体１０に対して仮吊りの状態となる。仮吊りの状態において、器具本体１０内の配線作業等が行われる。仮吊りの状態から光源モジュール２０に上方向（矢印方向）の力を加えて押し上げる。
【００６０】
図１１（ｂ）に表すように、仮吊りの状態から光源モジュール２０に上方向（矢印方向）の力を加えて押し上げると、弾性体３０の挿通部分３０ｂは、取付金具１４の孔１４ｏに入り込む。つまり、弾性体３０は、取付金具１４に挿入される。挿通部分３０ｂは、例えば、湾曲形状を有する。
【００６１】
図１１（ｃ）に表すように、図１１（ｂ）の状態から光源モジュール２０に上方向の力をさらに加えて押し上げると、挿通部分３０ｂが孔１４ｏに入り込み、弾性体３０の当接部分３０ｃが掛止部１４ａに掛止される。光源モジュール２０が器具本体１０に向かって吸い上がることで、光源モジュール２０は器具本体１０に取り付けられて固定される。
【００６２】
本実施形態によれば、基板のアース処理が不要な光源モジュール及び照明器具が提供される。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１０…器具本体、  １１…筐体、  １１ａ…凹部、  １２…反射板、  １２ｆ…屈曲部、  １３…端板、  １４…取付金具、  １４ａ…掛止部、  １４ｏ…孔、１５…電源回路、  １６…端子台、  ２０…光源モジュール、  ２１…伝熱部材、  ２１ａ、２５ａ…第１面、  ２１ｂ、２５ｂ…第２面、  ２１ｃ…凸部、  ２２…カバー、  ２２Ａ…ベース部、  ２２Ｂ…曲部、  ２２Ｃ…包囲部、  ２２ａ…載置部、  ２２ｂ…屈曲部、  ２２ｃ…第１部分、  ２２ｄ…第２部分、  ２３…保持部材、  ２３ａ…把持部、  ２３ｂ…固定部、  ２４…側板、  ２５…基板、  ２６…光源、  ３０…弾性体、  ３０ａ…先端部分、  ３０ｂ…挿通部分、  ３０ｃ…当接部分、  １００…照明器具、  ａ１、ａ２…矢印
【図１】
2016181403.tif 000003
【図２】
2016181403.tif 000004
【図３】
2016181403.tif 000005
【図４】
2016181403.tif 000006
【図５】
2016181403.tif 000007
【図６】
2016181403.tif 000008
【図７】
2016181403.tif 000009
【図８】
2016181403.tif 000010
【図９】
2016181403.tif 000011
【図１０】
2016181403.tif 000012
【図１１】
2016181403.tif 000013